(57)【要約】【課題】心理補色の影響により映像における肌色が異なる色に見える現象を効果的に抑える。【解決手段】映像信号調整装置１０は、映像信号における肌色領域を検出する肌色領域検出回路１１と、肌色領域検出回路１１によって検出された肌色領域の周辺領域である肌色周辺領域を検出する肌色領域拡張回路１２と、肌色周辺領域において、所定の色相の画素を検出する色相検出回路１３と、色相検出回路１３によって検出された所定の色相の画素数を積算する積算回路１４と、積算回路１４によって積算された所定の色相の画素数が所定の閾値を超えた場合、肌色領域の肌色あるいは肌色周辺領域における所定の色相の少なくとも一方の映像信号を調整する映像信号調整回路１５とを有する。【選択図】図４
2012142755.tif 000002
【特許請求の範囲】
【請求項１】
映像信号における肌色領域を検出する肌色領域検出部と、
前記肌色領域検出部によって検出された前記肌色領域の周辺領域である肌色周辺領域を検出する周辺領域検出部と、
前記肌色周辺領域において、所定の色相の画素を検出する色相検出部と、
前記色相検出部によって検出された前記所定の色相の画素数を積算する積算部と、
前記積算部によって積算された前記所定の色相の画素数が所定の閾値を超えた場合、前記肌色領域の肌色あるいは前記肌色周辺領域における前記所定の色相の少なくとも一方の映像信号を調整する映像信号調整部と、
を有することを特徴とする映像信号調整装置。
【請求項２】
前記色相検出部は、
前記所定の色相として、前記映像信号の肌色と補色関係にある色相を検出する、
ことを特徴とする請求項１記載の映像信号調整装置。
【請求項３】
前記映像信号調整部は、
前記肌色領域の肌色あるいは前記肌色周辺領域の前記所定の色相の映像信号の色相と彩度とのうち少なくとも一方を調整する、
ことを特徴とする請求項１または請求項２記載の映像信号調整装置。
【請求項４】
前記肌色領域検出部によって検出された前記肌色領域の映像信号と前記映像信号調整部によって調整された前記肌色領域の映像信号、または前記周辺領域検出部によって検出された前記肌色周辺領域の映像信号と前記映像信号調整部によって調整された前記肌色周辺領域の映像信号のいずれか一方を、前記映像信号調整部が調整した領域に対応して表示させ、前記映像信号調整部による映像信号の調整を施すか否かを選択するボタンを表示させるＯＳＤ表示部をさらに有し、
前記映像信号調整部による映像信号の調整を施すことが選択されると前記映像信号調整部の調整を実行する、
ことを特徴とする請求項１〜請求項３のいずれか一の請求項に記載の映像信号調整装置。
【請求項５】
映像信号における肌色領域を検出するステップと、
前記肌色領域の周辺領域である肌色周辺領域を検出するステップと、
前記肌色周辺領域において、所定の色相の画素を検出するステップと、
前記所定の色相の画素数を積算するステップと、
前記所定の色相の画素数が所定の閾値を超えた場合、前記肌色領域の肌色あるいは前記肌色周辺領域における前記所定の色相の少なくとも一方の映像信号を調整するステップと、
を有することを特徴とする映像信号調整方法。
【請求項６】
前記所定の色相の画素を検出するステップにおいて、
前記所定の色相として、前記映像信号の肌色と補色関係にある色相を検出する、
ことを特徴とする請求項５記載の映像信号調整方法。
【請求項７】
前記映像信号を調整するステップにおいて、
前記肌色領域の肌色あるいは前記肌色周辺領域の前記所定の色相の映像信号の色相と彩度とのうち少なくとも一方を調整する、
ことを特徴とする請求項５または請求項６記載の映像信号調整方法。
【請求項８】
前記肌色領域の映像信号と前記映像信号を調整するステップで調整された前記肌色領域の映像信号、または前記肌色周辺領域の映像信号と前記映像信号を調整するステップで調整された前記肌色周辺領域の映像信号のいずれか一方を、前記映像信号を調整するステップで調整された領域に対応してＯＳＤ表示し、映像信号の調整を施すか否かを選択するボタンをＯＳＤ表示するステップと、
映像信号の調整を施すことが選択されると調整を実行するステップとをさらに有する、
ことを特徴とする請求項５〜請求項７のいずれか一の請求項に記載の映像信号調整方法。
【発明の詳細な説明】
【技術分野】
【０００１】
本発明は、映像信号を調整する映像信号調整装置および映像信号調整方法に関する。
【背景技術】
【０００２】
デジタル放送の視聴エリア拡大と、デジタル対応受像機、およびブルーレイ（登録商標）等の高画質記録メディアの急速な普及により、一般家庭における高精細、高画質視聴環境が整備されつつある。これに伴い、ディスプレイに対するユーザの色調整機能への要求がいっそう高まってきている。
【０００３】
液晶表示装置は、独自の色再現範囲を持ち、映像撮影の色再現範囲とは一致しないことから、双方の色相を調整する色調整回路を持つものが一般的である。この色調整回路では、肌色や特徴的な色に対し補正するといった、複数の色変換を行うものが多い。
【０００４】
そこで、従来、画像全体の中で、一番多く使われている支配色を検出して、その支配色の補色に対して、彩度、輝度を調節することにより、従来の色補正にさらに色覚的効果を加えることにより、色のコントラストを強調して、ユーザに実際の色再現性以上に良好な印象の映像を得る画像補正装置および方法がある（例えば、特許文献１参照）。
【先行技術文献】
【特許文献】
【０００５】
【特許文献１】特開２００９−２７８２２７号公報
【発明の概要】
【発明が解決しようとする課題】
【０００６】
しかし、このような色調整回路を持つものであっても、液晶表示装置の大画面化に伴い、心理補色により、特に、肌色への心理的な色相変化が生じている。例えば、人の顔の直近の周囲に、肌色の補色成分を有し彩度の高い均一な背景色が存在する場合、その背景色に順応して負の残像（背景色による心理補色）が現れ、それが肌色と混色することで色相が変化して見える。これにより人の顔色がくすんでしまうなどの現象が生じることがある。
【０００７】
本発明は上記に鑑みてなされたもので、心理補色の影響により映像における肌色が異なる色に見える現象を効果的に抑えることができる映像信号調整装置および映像信号調整方法を提供することを目的とする。
【課題を解決するための手段】
【０００８】
上記課題を解決するため、本発明の映像信号調整装置の第１の特徴は、映像信号における肌色領域を検出する肌色領域検出部（１１）と、前記肌色領域検出部によって検出された前記肌色領域の周辺領域である肌色周辺領域を検出する周辺領域検出部（１２）と、前記肌色周辺領域において、所定の色相の画素を検出する色相検出部（１３）と、前記色相検出部によって検出された前記所定の色相の画素数を積算する積算部（１４）と、前記積算部によって積算された前記所定の色相の画素数が所定の閾値を超えた場合、前記肌色領域の肌色あるいは前記肌色周辺領域における前記所定の色相の少なくとも一方の映像信号を調整する映像信号調整部（１５）と、を有することにある。
【０００９】
また、本発明の映像信号調整装置の第２の特徴は、前記色相検出部（１３）は、前記所定の色相として、前記映像信号の肌色と補色関係にある色相を検出する、ことにある。
【００１０】
また、本発明の映像信号調整装置の第３の特徴は、前記映像信号調整部（１５）は、前記肌色領域の肌色あるいは前記肌色周辺領域の前記所定の色相の映像信号の色相と彩度とのうち少なくとも一方を調整する、ことにある。
【００１１】
また、本発明の映像信号調整装置の第４の特徴は、前記肌色領域検出部（１１）によって検出された前記肌色領域の映像信号と前記映像信号調整部（１５）によって調整された前記肌色領域の映像信号、または前記周辺領域検出部（１２）によって検出された前記肌色周辺領域の映像信号と前記映像信号調整部（１５）によって調整された前記肌色周辺領域の映像信号のいずれか一方を、前記映像信号調整部（１５）が調整した領域に対応して表示させ、前記映像信号調整部（１５）による映像信号の調整を施すか否かを選択するボタンを表示させるＯＳＤ表示部（１８）をさらに有し、前記映像信号調整部（１５）による映像信号の調整を施すことが選択されると前記映像信号調整部（１５）の調整を実行する、ことにある。
【００１２】
また、本発明の映像信号調整方法の第１の特徴は、映像信号における肌色領域を検出するステップと、前記肌色領域の周辺領域である肌色周辺領域を検出するステップと、前記肌色周辺領域において、所定の色相の画素を検出するステップと、前記所定の色相の画素数を積算するステップと、前記所定の色相の画素数が所定の閾値を超えた場合、前記肌色領域の肌色あるいは前記肌色周辺領域における前記所定の色相の少なくとも一方の映像信号を調整するステップと、を有することにある。
【００１３】
また、本発明の映像信号調整方法の第２の特徴は、前記所定の色相の画素を検出するステップにおいて、前記所定の色相として、前記映像信号の肌色と補色関係にある色相を検出する、ことにある。
【００１４】
また、本発明の映像信号調整方法の第３の特徴は、前記映像信号を調整するステップにおいて、前記肌色領域の肌色あるいは前記肌色周辺領域の前記所定の色相の映像信号の色相と彩度とのうち少なくとも一方を調整する、ことにある。
【００１５】
また、本発明の映像信号調整方法の第４の特徴は、前記肌色領域の映像信号と前記映像信号を調整するステップで調整された前記肌色領域の映像信号、または前記肌色周辺領域の映像信号と前記映像信号を調整するステップで調整された前記肌色周辺領域の映像信号のいずれか一方を、前記映像信号を調整するステップで調整された領域に対応してＯＳＤ表示し、映像信号の調整を施すか否かを選択するボタンをＯＳＤ表示するステップと、映像信号の調整を施すことが選択されると調整を実行するステップとをさらに有する、ことにある。
【発明の効果】
【００１６】
本発明によれば、心理補色の影響により映像における肌色が異なる色に見える現象を効果的に抑えることができる。
【図面の簡単な説明】
【００１７】
【図１】心理補色を示す色相環の一例を示す図である。
【図２】背景色が緑の場合の肌色の色相変化を示す図である。
【図３】背景色が赤の場合の肌色の色相変化を示す図である。
【図４】本発明に係る実施形態１の映像信号映像信号調整装置の構成例を示すブロック図である。
【図５】本発明の実施形態１のＹ軸、Ｕ軸、Ｖ軸おのおのにＵＰＰＥＲリミット（ＵＬ）、ＬＯＷＥＲリミット（ＬＬ）を定めたときの領域を表す説明図である。
【図６】図１に示す実施形態１の肌色領域検出回路の構成例を示すブロック図である。
【図７】（ａ）〜（ｄ）、それぞれ、図６に示すＹ信号リミッタ、Ｕ信号リミッタ、およびＶ信号リミッタから出力されたＹ’信号、Ｕ’信号、Ｖ’信号の波形と、それらの信号の論理積信号の一例を示す図である。
【図８】肌色領域検出回路が映像信号として取得する画像情報の一例を示す図である。
【図９】（ａ）〜（ｄ）、それぞれ、図９に示す画像情報における人の顔、肌色領域、肌色領域の拡張、肌色拡張領域、肌色周辺領域の一例を示す説明図である。
【図１０】重心からの３つの距離レベルにおける重み付け係数の一例を示す図である。
【図１１】図１に示す実施形態１の積算回路の内部構成例を示すブロック図である。
【図１２】図１に示す実施形態１の映像信号調整回路の内部構成例を示すブロック図である。
【図１３】本発明に係る実施形態２の映像信号映像信号調整装置の構成例を示すブロック図である。
【図１４】実施形態２の映像信号処理装置の動作を示すフローチャートである。
【図１５】実施形態２により画像上に重畳して表示されるに肌色検出枠と背景色検出枠のＯＳＤ情報の一例を示す図である。
【図１６】実施形態２における肌色自動補正欄のＯＳＤ情報の一例を示す図である。
【図１７】実施形態２における背景色自動補正欄のＯＳＤ情報の一例を示す図である。
【発明を実施するための形態】
【００１８】
本発明に係る映像信号調整装置および映像信号補正方法の実施形態について説明する前に、まず、心理補色が色相に与える影響について説明する。
【００１９】
（心理補色の影響について）
例えば、肌色の背景色として、緑と赤の２種類があった場合、同じ肌色であっても、背景色が緑である場合には、その肌色が「赤」を帯びて見える。一方、背景色が赤である場合には、肌色が「緑」を帯びて見える。
【００２０】
これは、色相対比によって起こる現象である。背景色が緑の場合は、緑の心理補色である赤紫の影響を受ける一方、背景色が赤の場合は、赤の心理補色である青緑の影響を受けるからである。
【００２１】
図１は、心理補色の関係を対で並べた色相環の図である。
【００２２】
この色相環において互いに心理補色の関係にある場合は、色相の変化は生じない。しかし、互いに心理補色の関係で無い場合、例えば、肌色に緑の背景や、肌色に赤の背景の場合は、それぞれ、図２、図３に示す矢印の方向に、肌色の色相が「赤みがかった肌色」や「緑がかった肌色」に変化して見える。
【００２３】
また、彩度については、同じ肌色であっても、彩度の低い背景色上では、肌色の彩度が高められて見える。これに対し、彩度の高い背景色上では、肌色の彩度が低くなったように見える。これは、彩度対比によって起こる現象で、異なる彩度を持つ色の組み合わせがあった場合、互いの彩度の差を強調するように変化して見えるからである。
【００２４】
そこで、本発明に係る映像信号調整装置および映像信号補正方法の実施形態では、上記のように心理補色の影響により、「赤みがかった肌色」や「緑がかった肌色」、または「彩度の高い肌色」や「彩度の低い肌色」等の色相対比や彩度対比が生じている場合、背景色または肌色のそれぞれの色相と彩度のうち少なくとも一方に対し、色相対比または彩度対比の影響を打ち消すように最適な色相と彩度とにシフトすることで、顔色等の肌色が悪く見えるシーンを回避するようにする。
【００２５】
また、本発明に係る映像信号調整装置および映像信号補正方法の実施形態では、肌色の色相と彩度との変換については、顔が注目を集める映像や、シーンチェンジが短い間隔で起こる映像など、見ている者に違和感を与える可能性を考慮し、肌色ではなく、その背景色のみに色相または彩度の変換処理を行うことも可能にする。
【００２６】
なお、本発明に係る映像信号調整装置および映像信号補正方法の実施形態は、肌色だけではなく、任意の色に対して、色相または彩度の対比現象を抑えたい色として、その色の情報を特定すれば、同じ手法を用いて色相または彩度対比の影響を打ち消すように最適な色相または彩度にシフトすることで、色変換を行うことができる。
【００２７】
（実施形態１の映像信号調整装置および映像信号補正方法の説明）
次に、本発明に係る映像信号調整装置および映像信号補正方法の実施形態１について説明する。
【００２８】
ここで、映像信号調整装置には、ディスプレイやモニタを備えた映像信号表示装置や、ディスプレイやモニタを備えず、ディスプレイやモニタを接続して映像を表示するハードディスクや、ＤＶＤ、Ｂｌｕ−ｒａｙディスクを含む高画質記録メディアの記録・再生機器や、小型液晶表示装置が一体化、もしくは付属されているデジタルカメラ、カムコーダー等の撮像機器が含まれる。
【００２９】
図４は、本発明に係る映像信号調整装置の実施形態１の構成例を示すブロック図である。
【００３０】
図４に示すように、実施形態１の映像信号調整装置１０は、肌色領域検出回路１１と、肌色領域拡張回路１２と、色相検出回路１３と、積算回路１４と、映像信号調整回路１５と、第１遅延器１６と、第２遅延器１７とを備える。映像信号調整装置１０は、ＴＶ信号等がデコードされた原色信号（ＲＧＢ信号）や、パーソナルコンピュータ（ＰＣ）のＲＧＢ信号等の映像信号Ｓ１の、肌色または背景色を補正すなわち調整する。
【００３１】
次に、映像信号調整装置１０の動作を、簡単に説明する。
【００３２】
まず、肌色領域検出回路１１は、映像信号Ｓ１を受け取り、肌色の領域である肌色領域を示す肌色領域信号Ｓ２を、肌色領域拡張回路１２へ出力する。映像信号Ｓ１は例えば、ＹＵＶ信号、またはＲＧＢ信号である。
【００３３】
肌色領域拡張回路１２では、肌色への補色効果が及ぶ領域を得るため、肌色領域検出回路１１から出力された肌色領域を示す肌色領域信号Ｓ２に基づいて肌色領域を含む肌色拡張領域を検出し、肌色領域と肌色拡張領域とより、肌色領域周辺の領域（以下、肌色周辺領域）を示す肌色周辺領域信号Ｓ３を色相検出回路１３へ出力する。肌色拡張領域とは、肌色領域を含み、肌色領域よりも面積の大きい領域であれば良く、肌色領域を中心として肌色領域よりも拡張した領域を有したものでも良い。
【００３４】
色相検出回路１３では、肌色領域拡張回路１２から出力された肌色周辺領域信号Ｓ３を受け取り、その肌色周辺領域信号Ｓ３に基づいて、映像信号Ｓ１の肌色周辺領域において主に肌色と特定の関係、すなわち補色関係、にある色相を検出する。そのため、色相検出回路１３は、主に肌色との補色関係にある色相を検出できるように予め特定の検出すべき色相情報が設定ないしは記憶されている。
【００３５】
ここで、この色相情報とは、中心となる色相と、その色相の幅を持つことが望ましい。また、色相を示す色空間としては、輝度情報を包含するＲＧＢ信号よりも、ＵＶ軸で色相情報を分離して扱えるＹＵＶ信号を用いることが望ましい。ＲＧＢ信号からＹＵＶ信号への変換は、ＩＴＵ−Ｒ  ＢＴ．６０１規格に従う。ＩＴＵ−Ｒ  ＢＴ．６０１規格では、ＹＵＶ信号と、ＲＧＢ信号との関係が、下記に示す数式（１）で定められている。
【００３６】
Ｙ  ＝  ０．２９９×Ｒ  ＋  ０．５８７×Ｇ  ＋  ０．１１４×Ｂ
Ｕ  ＝−０．１６８×Ｒ  −  ０．３３１×Ｇ  ＋  ０．５００×Ｂ      …（１）
Ｖ  ＝  ０．５００×Ｒ  −  ０．４１９×Ｇ  −  ０．０８１×Ｂ
色相検出回路１３は、予め設定等しておいた検出すべき色相情報に従い、色相情報の範囲内の色情報を検出した場合、検出信号Ｓ４を積算回路１４へ出力する。すなわち色相検出回路１３は、肌色周辺領域信号Ｓ３と映像信号Ｓ１とに基づいて、肌色周辺領域において、予め定めた主に肌色との補色関係にある色相情報を有する画素を検出した場合には、検出信号Ｓ４を積算回路１４へ出力する。色相検出回路１３は、複数の色相情報を設定し、各色相情報に該当する画素を検出することも可能である。その際、検出信号Ｓ４は、設定した色相情報の数（ｎ）だけ積算回路１４へ出力される（Ｓ４１〜Ｓ４ｎ）。
【００３７】
積算回路１４は、色相検出回路１３によって検出された肌色周辺領域において特定の色相、本実施形態では肌色と捕色関係にある色相の画素数を積算するものである。具体的には、積算回路１４は、色相検出回路１３から出力された検出信号Ｓ４に基づいて肌色周辺領域における肌色と捕色関係にある所定の色相信号の有無と量的判定とを行う。例えば、検出信号Ｓ４が入力された回数にて肌色周辺領域内の所定の色相の画素数を１画面内で積算し、その画素数の積算値が所定の閾値を超えるか否かを判断する。そして、その画素数の積算値が所定の閾値を超えた場合、積算値信号Ｓ５を、映像信号調整回路１５へ出力する。
【００３８】
映像信号調整回路１５は、肌色領域の肌色あるいは肌色周辺領域の所定の色相の映像信号を調整するものである。具体的には、映像信号調整回路１５は、積算回路１４から積算値信号Ｓ５が送られてくると、肌色領域の肌色あるいは肌色周辺領域の所定の色相の映像信号に対して色相の調整すなわち補正処理を行って、出力映像信号Ｓ６として出力する。この色相の調整処理は、１フレーム単位で行われる。映像信号調整回路１５が肌色領域または肌色周辺領域のうちいずれの領域の映像信号を調整するかは、予め定めておけばよい。
【００３９】
なお、映像信号調整回路１５の出力形式は、ＹＵＶ信号で上記色相の調整（補正）処理を行った場合、ＲＧＢ信号に変換して、出力映像信号Ｓ６とする。また、映像信号調整装置１０に入力する映像信号Ｓ１については、ＲＧＢ信号だけでなく、ＹＵＶ信号を扱う場合にも、同様に処理をする。この場合、最前段の肌色領域検出回路１１では、ＲＧＢ信号をＹＵＶ信号に変換する処理は必要とせず、最終段の映像信号調整回路１５では、ＹＵＶ信号をＲＧＢ信号に変換して出力映像信号Ｓ６として出力する。
【００４０】
なお、本実施形態１では、色相検出回路１３で設定する色相についても、設定する色相軸の数を限定しない。
【００４１】
また、本実施形態１では、肌色領域検出回路１１と肌色領域拡張回路１２での処理を行う上での時間調整のために第１遅延器１６を設けると共に、色相検出回路１３と積算回路１４での処理を行う上での時間調整のために第２遅延器１７とを設けている。
【００４２】
次に、図４の映像信号調整装置１０を構成する各構成要素の詳細な構成および動作例について説明する。
【００４３】
（肌色領域検出回路１１の構成および動作の詳細）
肌色領域検出回路１１は、前述の通り、入力された映像信号Ｓ１（ＹＵＶ信号）から特定の肌色を示す肌色領域成分を検出して、この肌色領域成分を有する肌色領域を示す信号として肌色領域信号Ｓ２を出力する。この際、肌色領域検出回路１１は、肌色を中心にある程度の色相の幅を設け、肌色近傍色を含めて検出している。
【００４４】
つまり、肌色領域検出回路１１は、肌色の近傍色を含めて検出する場合には、例えば、図５に示すように、Ｙ軸、Ｕ軸、Ｖ軸の各々に、上限値（ＵＬ；ＵＰＰＥＲリミット）と下限値（ＬＬ；ＬＯＷＥＲリミット）である、Ｙ軸上限値ＹＵＬ，Ｙ軸下限値ＹＬＬ、Ｕ軸上限値ＵＵＬ，Ｕ軸下限値ＵＬＬ、Ｖ軸上限値ＶＵＬ，Ｖ軸下限値ＶＬＬを定める。
【００４５】
図６は、肌色領域検出回路１１の構成例を示すブロック図である。
【００４６】
図６において、肌色領域検出回路１１は、ＲＧＢ・ＹＵＶ変換回路１１１と、Ｙ信号リミッタ１１２と、Ｕ信号リミッタ１１３と、Ｖ信号リミッタ１１４とを有している。なお、映像信号Ｓ１としてＹＵＶ信号を入力する場合には、ＲＧＢ・ＹＵＶ変換回路１１１は、省略可能である。
【００４７】
ここで、Ｙ信号リミッタ１１２と、Ｕ信号リミッタ１１３と、Ｖ信号リミッタ１１４とは、それぞれ、リミット値ｘ，ｙで定める領域をリミット関数ＬＭ（ｘ，ｙ）とすると、図６のブロック図に示すように、Ｙ軸に対しＬＭ（ＹＬＬ，ＹＵＬ）、Ｕ軸に対しＬＭ（ＵＬＬ，ＵＵＬ）、Ｖ軸に対しＬＭ（ＶＬＬ，ＶＵＬ）によりリミット処理を行う。つまり、Ｙ、Ｕ、Ｖそれぞれの検出値に対し、Ｙ、Ｕ、Ｖそれぞれ特定の閾値（リミット関数ＬＭ）と比較し、例えば、特定の閾値以上の場合は“１”を割り当てる一方、特定の閾値より小さい場合は“０”を割り当てて、それぞれ、Ｙ’、Ｕ ’、Ｖ’として出力する。その結果、肌色領域検出回路１１は、肌色と、リミット関数ＬＭ（ｘ，ｙ）によりその近傍の幅を持たせた肌色の近傍色を検出することができる。
【００４８】
図７（ａ）〜（ｄ）は、それぞれ、Ｙ信号リミッタ１１２から出力されたＹ’信号の波形、Ｕ信号リミッタ１１３から出力されたＵ’信号の波形、およびＶ信号リミッタ１１４から出力されたＶ’信号の波形と、Ｙ’信号とＵ’信号とＶ’信号との論理積信号の一例を示す図である。
【００４９】
図７（ｄ）に示すＹ’信号、Ｕ’信号、Ｖ’信号の論理積信号を、数式により表すと、次の数式（２）に示すようになる。
【００５０】
ＬＭ（ＹＬＬ，ＹＵＬ）＆ＬＭ（ＵＬＬ，ＵＵＬ）＆ＬＭ（ＶＬＬ，ＶＵＬ）  …（２）
なお、数式（２）において、“＆”が論理積を示している。
【００５１】
以上から肌色領域検出回路１１では、特定の範囲内の肌色領域を検出することが可能になる。
【００５２】
（肌色領域拡張回路１２の詳細動作）
通常、映像信号において肌色を見る場合、人の顔色がその大半を占める。
【００５３】
例えば、肌色領域検出回路１１は、映像信号Ｓ１として、例えば、図８に示すような画像９１を取得すると、まずは、輝度の検出や顔の特徴認識などによる公知の顔認識技術により、図９（ａ）に示すように人物の顔または顔の領域を検出する。次いで、肌色領域検出回路１１は、図９（ｂ）に示すように輝度や色相等から人物の顔の肌色領域Ａを検出して、肌色領域信号Ｓ２として肌色領域拡張回路１２へ出力する。
【００５４】
肌色領域拡張回路１２は、肌色領域検出回路１１から肌色領域信号Ｓ２が入力されると、図９（ｃ）に示すように肌色領域Ａを所定範囲だけ拡張することにより、図９（ｄ）に示すような肌色拡張領域Ｂを生成する。本実施形態では、肌色領域Ａを中心として同心円状に領域を拡張した肌色拡張領域Ｂとした。
【００５５】
ここで、肌色拡張領域Ｂ⊃肌色領域Ａ、すなわち肌色拡張領域Ｂに肌色領域Ａが含まれる。このため、肌色領域拡張回路１２は、肌色拡張領域Ｂから肌色領域Ａを減算することにより、図９（ｅ）に示すような肌色周辺領域Ｃを得ることができる。
【００５６】
次に、肌色領域拡張回路１２における肌色周辺領域Ｃの検出例を、２つほど以下に挙げる。
【００５７】
（肌色周辺領域Ｃの第１検出例）
第１検出例では、肌色領域拡張回路１２において、図７（ｄ）に示すＹ’信号、Ｕ’信号、Ｖ’信号の論理積信号“１“に対し、領域拡張のための処理として、ＬＰＦ（Low Pass Filter）を施す方法である。
【００５８】
このＬＰＦの構成は様々なものが考えられるが、一例として、次のような手法を説明する。ＬＰＦ処理により、通常Ｕ信号、Ｖ信号の値が極端に小さくなるため、ＬＰＦ処理を行う前に重み付け処理を行う。
【００５９】
つまり、肌色領域拡張回路１２は、図７（ｄ）に示すＹ’信号、Ｕ’信号、Ｖ’信号の論理積信号“１”に対し、重み付け係数Ｍ（Ｍは１より大きい）を乗算した後、ＬＰＦ処理を行い、その後、閾値処理、すなわち特定の閾値より大きい場合“１”を割り当て、その他は“０”を割り当てて領域信号を得る。肌色領域拡張回路１２は、これらの一連の処理によって、図９に示すような、肌色領域Ａを拡張した肌色拡張領域Ｂを設定し、肌色拡張領域Ｂより肌色領域Ａを除いた肌色周辺領域Ｃを示す肌色周辺領域信号Ｓ３を生成することができる。
【００６０】
ここで、肌色領域Ａを拡張して肌色拡張領域Ｂを設定するためには、ＬＰＦの次数を大きくする必要があり、水平および垂直方向に高次のＬＰＦを施すことが望ましい。ただし、図８に示すような画像９１から図９（ｂ）に示すような顔を肌色領域Ａとして検出した場合、その肌色領域Ａの左右に隣接する領域には背景の画像、上方向に隣接する領域には髪の毛や帽子の画像、下方向に隣接する領域には衣服の画像などが存在する可能性が高い。このため肌色周辺領域Ｃのうち、肌色領域Ａの上下方向（垂直方向）の領域に肌色と同じ色相の色があることはまれである。従って肌色周辺領域Ｃのうち、心理補色として肌色に影響を与えるのは、頬や額と水平方向に並んでいる領域、すなわち肌色領域Ａの左右方向に隣接する背景領域に一定の色相の色が連続して存在するケースである。
【００６１】
また、画面の垂直方向に、高次のＬＰＦを施すことは、メモリ等のハードウェアを多く必要とする。
【００６２】
このような理由から肌色領域拡張回路１２は、領域拡張のためのＬＰＦを、水平方向処理のみとして、垂直方向のＬＰＦ処理に必要なメモリを省略することも可能となる。
【００６３】
肌色領域拡張回路１２は、以上のような手法で肌色領域Ａより肌色領域Ａの周辺の領域となる肌色周辺領域Ｃを求め、肌色周辺領域Ｃを示す肌色周辺領域信号Ｓ３を、色相検出回路１３へ出力する。
【００６４】
（肌色周辺領域Ｃの第２検出例）
肌色領域拡張回路１２は、肌色周辺領域信号Ｓ３を色相検出回路１３へ出力し、色相検出回路１３では肌色周辺領域信号Ｓ３を基に色相信号Ｓ４１を算出する。その際、色相検出回路１３は、色相信号Ｓ４１に対し、肌色領域Ａの重心からの距離に依存する重み付けを行うようにしても良い。なぜなら肌色周辺領域Ｃに心理補色が存在する場合でも、肌色周辺領域Ｃのうち肌色領域Ａの最外周と接する領域に心理補色が存在する場合と肌色周辺領域Ｃの最外周付近の領域、すなわち肌色領域Ａから最も離れた領域、に心理補色が存在する場合とでは心理補色が肌色領域Ａに与える影響が異なる。肌色周辺領域Ｃのうち肌色領域Ａにより近い領域ほど心理補色が肌色領域Ａに与える影響は最も大きく、肌色領域Ａからの距離が大きくなるにつれて影響は小さくなる。
【００６５】
そのため、色相検出回路１３は、肌色領域Ａにおける重心を求め、重心から肌色領域Ａと肌色周辺領域Ｃの境界（最外周）までいくつかのポイントを定めて、重心からの距離を算出する。そして、それらを閾値処理し、近距離ａ、中距離ｂ、遠距離ｃとしてレベルを設け分類する。
【００６６】
図１０は、色相検出回路１３が色相信号Ｓ４１に対し重み付けを行う、肌色領域Ａの重心からの距離に依存する重み付け係数の一例を示す図である。
【００６７】
本実施形態では図１０に示すように、重心からの距離が遠くなるにつれて、重み付け係数を小さくしている。すなわち近距離ａの重み付け係数を最も大きく設定する。なお、ここでは例として、近距離ａ、中距離ｂ、遠距離ｃという３つの距離における重み付け係数を設定したが、その他に、最も一般的な方法として、距離に対し一次関数等を用いて重み付け係数を算出する手法を使用して良い。いずれにおいても、重心からの距離が増すにつれ、重み付け係数が小さくなるという上記の特性を条件として満たしていれば、その方法は限定しない。また、重心からの距離については、水平および垂直方向に扱うことが望ましいが、肌色周辺領域Ｃの第１検出例にて説明したように、心理補色として肌色に影響を与える色は、頬や額等のように水平方向に並んでいる背景領域の場合が多いことから、水平方向のみの距離を選出し、重み付け係数を算出しても良い。
【００６８】
肌色領域Ａ、肌色拡張領域Ｂ、肌色周辺領域Ｃの検出方法は、上述したものに限定されず、周知の技術によって検出すればよい。例えば特開２００８−１５６４１号公報（発明の名称「人体領域抽出方法および装置並びにプログラム」）に記載の人体領域抽出方法を用いて肌色や顔の領域を抽出してもよい。
【００６９】
（色相検出回路１３の詳細動作）
色相検出回路１３では、第１遅延器１６を通過した映像信号Ｓ１に対して、肌色領域検出回路１１と同様に必要あればＲＧＢ信号からＹＵＶ信号へ変換した後、主に肌色との補色関係にある色相を検出できるよう、予め特定の検出すべき色相情報（Ｙ、Ｕ、Ｖ）を設定しておく。この色相情報は、肌色の色相範囲の抽出を行ったときと同様に、中心となる色相とその色相幅を持つことが望ましい。ここでは一例として、２種類の色相軸１、色相軸２を設定し、それぞれ色相の幅を持たせているが、設定する色相軸の数を制限するものではない。色相検出回路１３では、肌色検出する処理と同様に、色相軸１、色相軸２において、おのおの図５のようにＹ軸、Ｕ軸、Ｖ軸それぞれに上限値（ＵＬ）、下限値（ＬＬ）を定め、図６にて説明したリミッタ処理を行う。
【００７０】
色相検出回路１３は、設定した色相情報を有する映像信号を検出すると、検出すべき色相を有する画素を検出したことを示す検出信号Ｓ４を積算回路１４へ出力する。これによって、肌色周辺領域内に肌色との補色関係にあるＹ、Ｕ、Ｖの組み合わせが存在するか、存在しないかが判別可能となる。本実施形態では、色相検出回路１３にて肌色周辺領域Ｃにおける所定の色相（補色）の画素を検出したが、肌色拡張領域Ｂより所定の色相の画素を検出してもよい。その際、肌色領域拡張回路１２は肌色拡張領域Ｂを示す信号を色相検出回路１３に供給すればよい。
【００７１】
（積算回路１４の詳細動作）
積算回路１４では、色相検出回路１３から検出信号Ｓ４が入力されると、検出信号Ｓ４を積算し、積算した検出信号Ｓ４に基づく積算値信号Ｓ５を映像信号調整回路１５へ出力する。
【００７２】
映像信号調整回路１５は、積算回路１４から積算値信号Ｓ５が入力されると、積算値信号Ｓ５に応じて、第１遅延器１６および第２遅延器１７を介し時間を調整して入力された映像信号Ｓ１の色相もしくは彩度のうち少なくとも一方の調整を行い、出力映像信号Ｓ６として出力する。
【００７３】
図１１は、積算回路１４の構成例を示すブロック図である。
【００７４】
図１１において、積算回路１４は、選択器１４１と、加算器１４２と、リミッタ１４３と、除算器１４４とを有している。
【００７５】
積算回路１４においては、例えば、選択器１４１が色相検出回路１３からの検出信号Ｓ４を１画面内で積算した積算値を出力する。選択器１４１は、検出信号Ｓ４として“１”が入力されると、検出信号Ｓ４を加算器１４２へ出力する。なお、加算器１４２は、リセット信号Ｒの入力により、その積算結果をリセットする。
【００７６】
検出信号Ｓ４が“１”の場合は、肌色周辺領域Ｃ内に特定の色相（肌色の補色）の画素が存在することを示している。
【００７７】
加算器１４２では、検出信号Ｓ４を加算した値をリミッタ１４３に出力すると同時に、加算器１４２へ入力し、続いて入力される検出信号Ｓ４へ加算する。なお、加算結果は、一定以上の大きさに達すれば、それ以上は必要ないため、図１１に示す積算回路１４の一例においては、リミッタ１４３により制限を行う。こうして得た肌色周辺領域Ｃ内の所定の色相の画素数を示す積算値は、通常、除算器１４４により振幅が調整され、積算値信号Ｓ５として出力される。ここで、簡易的には、除算器１４４において、積算値信号Ｓ５を示すビット長の下位を切捨てることにより振幅を調整する。なお、加算器１４２における積算は、映像信号調整装置１０に入力される映像信号Ｓ１あるいは映像信号調整装置１０から出力される映像信号Ｓ６の１フレームに相当する単位で行う。そのため、加算器１４２を１フレーム毎に一旦“０”とリセットする必要があり、これをリセット信号Ｒによって行っている。
【００７８】
なお、リセット信号Ｒは１フレーム毎に入力される必要はなく、演算に時間を要する構成の場合、複数フレームに一度入力されても良い。なぜなら、心理補色は心理的効果であり、１フレームの周期より長い認知周期を持っているからである。今回の例では、説明の便宜上、１フレーム単位としている。以上の処理により、積算回路１４は、映像信号調整を行うための制御信号である積算値信号Ｓ５を生成して、映像信号調整回路１５へ出力する。なお、複数の補色の色相軸を設定した際には、同様の回路によって各色相軸における積算値信号Ｓ５の生成を行う。
【００７９】
（映像信号調整回路１５の詳細構成および動作）
図１２は、映像信号調整回路１５の構成例を示すブロック図である。
【００８０】
図１２において、映像信号調整回路１５は、補正量設定部１５１と、色相・彩度補正処理部１５２とを有している。補正量設定部１５１は、積算回路１４から積算値信号Ｓ５が入力される。積算回路１４において、色相軸１、色相軸２における積算値信号Ｓ５１，Ｓ５２が生成された場合には、積算値信号Ｓ５１，Ｓ５２が補正量設定部１５１に入力される。
【００８１】
補正量設定部１５１では、色相軸毎に積算値に対する色相および彩度の補正量を予め設定してある。従って、補正量設定部１５１では、各色相軸１，２に対する積算値信号Ｓ５１，Ｓ５２が入力されると、その積算値信号Ｓ５１，Ｓ５２の大きさに応じて、色相と彩度の補正量信号である色相軸１の色相補正量信号Ｓ５１１、色相軸１の彩度補正量信号Ｓ５１２、色相軸２の色相補正量信号Ｓ５２１、色相軸２の彩度補正量信号Ｓ５２２を、色相・彩度補正処理部１５２へ出力する。ここで、この補正量設定部１５１では、実際の映像を見ながら調整を要するために、変更が容易なルックアップテーブルなどを利用するようにしても良い。
【００８２】
色相・彩度補正処理部１５２では、入力映像信号Ｓ１の色相もしくは彩度の制御を行うため、入力映像信号Ｓ１のＹＵＶ信号に対し、色相軸ごとの色相と彩度を検出して、色相と彩度のうち少なくとも一方の補正処理を行う。本実施形態の色相・彩度補正処理部１５２は、ＲＧＢ信号で入力映像信号Ｓ１が入力され、図示しないＲＧＢ・ＹＵＶ変換回路にてＲＧＢ信号をＹＵＶ信号に変換する。
【００８３】
ここで、本実施形態１の色相・彩度補正処理部１５２では、入力映像信号Ｓ１のうち肌色領域Ａの肌色について、色相軸ごとの色相と彩度を検出して、色相と彩度のうち少なくとも一方の補正処理を行うことにより、肌色周辺領域Ｃの背景色による心理補色の影響により肌色領域Ａの肌色が異なる色に見える現象を抑えるようにしても良いし、あるいは、入力映像信号Ｓ１のうち肌色周辺領域Ｃの背景色について、色相軸ごとの色相と彩度を検出して、色相と彩度のうち少なくとも一方の補正処理を行うことにより、背景色による心理補色の影響により肌色が異なる色に見える現象を抑えるようにしても良い。
【００８４】
以上のように、肌色近傍色の検出によって肌色近傍色の肌色領域Ａを検出すると共に、肌色領域Ａを拡張して肌色領域Ａを除いた肌色周辺領域Ｃを検出して、肌色周辺領域Ｃの背景色の影響により肌色領域Ａの肌色ないしは肌色近傍色が異なる色に見える心理補色の問題を解決することができる。
【００８５】
なお、この映像信号調整回路１５の詳細は、例えば、特開２００７−４９３４１号公報（発明の名称「映像補正装置」）に記載されており、特に、図６に示されている色補正回路を参考とすればよい。この色補正回路は、本実施形態１において構成上必要な映像信号調整回路１５と同様に、複数の色相軸で、それぞれ独立した色相と彩度を調整できるように構成されている。特開２００７−４９３４１号公報の図６に示す色補正回路における補正係数算出部３ｎに入力する色相２（ｐ２）と、彩度ｓに相当するものが、本実施形態１の図１２中の色相補正量信号Ｓ５１１、Ｓ５２１と、彩度補正量信号Ｓ５１２、Ｓ５２２であるため、これらを本発明の映像信号調整回路１５が特開２００７−４９３４１号公報に記載された色補正装置と同様に処理することにより、色相、彩度を補正することができる。
【００８６】
そして、映像信号調整回路１５は、入力映像信号Ｓ１のＹＵＶ信号の色相と彩度を補正した結果として、補正後の映像信号である出力映像信号Ｓ６のＹ’Ｕ’Ｖ’信号が得られる。なお、映像信号調整回路１５の出力形式については、上記処理を、ＹＵＶ信号に対し行っていたので、Ｙ’Ｕ’Ｖ’信号をＲＧＢ信号に図示しないＲＧＢ・ＹＵＶ変換回路にてマトリクス変換して、Ｒ’Ｇ’Ｂ’信号からなる出力映像信号Ｓ６とする。
【００８７】
以上説明したように、本実施形態１の映像信号調整装置１０は、映像信号における肌色領域を所定の範囲だけ拡張して肌色領域周辺領域を検出し、肌色周辺領域において映像信号の肌色と特定の関係にある特定の色相を検出し、肌色と補色関係にある特定の色相の画素数を積算し、その画素数の積算値に基づいて、肌色領域あるいは肌色周辺領域の映像信号を調整する。これにより、映像における肌色周辺領域の背景色による心理補色の影響により肌色領域の肌色が異なる色に見える現象を効果的に抑えることができる。
【００８８】
（実施形態２）
上記実施形態１では、肌色周辺領域の背景色の影響により肌色領域の肌色が異なる色に見える心理補色の問題を解決するため、肌色領域の肌色または肌色周辺領域の背景色の色相または彩度のうち少なくとも一方を自動的に調整するものとして説明したが、実施形態２の映像信号調整装置は、肌色領域の肌色または肌色周辺領域の背景色の映像信号の色相または彩度の調整結果をオンスクリーンディスプレイ（ＯＳＤ）表示することにより、シミュレーションとして確認することができ、色相および彩度の補正レベルをユーザが調整できるようにしたものである。また、これらＯＳＤ表示によるシミュレーション結果を見て、ユーザが色相および彩度の補正処理をそれぞれ行うか、行わないかを判断することができるようにしたものである。
【００８９】
（実施形態２の映像信号調整装置の構成）
図１３は、実施形態２の映像信号調整装置の構成例を示すブロック図である。
【００９０】
図１３において、実施形態２の映像信号調整装置１０Ａは、図４に示した映像信号調整装置１０に対し、新たにＯＳＤ表示回路１８を設けたものであり、それ以外の構成は、図４の映像信号調整装置１０と同じである。従って、図１３において、図４の映像信号調整装置１０と同じ構成要素には、同一符号を付して、その説明は省略する。
【００９１】
ＯＳＤ表示回路１８は、次の図１４に示す動作により、映像信号調整回路１５による調整後の肌色領域の肌色あるいは肌色周辺領域の背景色の映像信号と、調整前の肌色領域の肌色あるいは肌色周辺領域の背景色の映像信号とをＯＳＤ表示すると共に、調整を行うか否かを選択させるためのＯＮ／ＯＦＦボタン等をＯＳＤ表示するものである。ＯＳＤ表示回路１８は、肌色領域検出回路１１から肌色領域信号Ｓ２を受け取り、肌色領域拡張回路１２より肌色周辺領域信号Ｓ３を受け取り、それぞれに基づいてＯＳＤ表示を行う。
【００９２】
（実施形態２の映像信号調整装置の動作）
次に、映像信号調整装置１０Ａの動作について説明する。
【００９３】
図１４は、映像信号調整装置１０Ａの動作を示すフローチャートである。
【００９４】
まず、映像信号調整装置１０Ａでは、実施形態１と同様に、映像信号を取得し（ステップＳ１６００）、続いて肌色領域Ａまたは肌色周辺領域Ｃの認識を行う（ステップＳ１６１０）。
【００９５】
次に、ＯＳＤ表示回路１８は、ＯＳＤ重畳処理により、例えば、図１５に示すように、表示画像９１上に肌色領域Ａを示す肌色検出枠１７１と肌色周辺領域Ｃを示す背景色検出枠１７２をＯＳＤ表示して、表示画像９１におけるマーキング処理を行う（ステップＳ１６２０）。
【００９６】
図１５は、映像信号調整装置１０Ａにより画像上に重畳して表示されるＯＳＤ情報の一例を示している。実施形態２では、肌色領域拡張回路１２は既述した理由により肌色領域Ａに対して水平方向に拡張された周辺領域を肌色周辺領域Ｃとした。
【００９７】
次に、ＯＳＤ表示回路１８では、その画像９１の上に、後述する図１６に示すような肌色自動補正欄１８０のＯＳＤ情報や、図１７に示すような背景色自動補正欄１９０のＯＳＤ情報を表示して、その肌色自動補正欄１８０や背景色自動補正欄１９０のＯＳＤ情報に、補正前の肌色または背景色をＯＳＤ表示する（ステップＳ１６３０）。なお、映像信号調整回路１５が調整する領域（肌色領域または肌色周辺領域）に対応して、肌色自動補正欄１８０または背景色自動補正欄１９０のいずれか一方のＯＳＤ情報が表示されれば良い。ＯＳＤ情報は、画像９１の一部または全体に重畳して表示される。
【００９８】
図１６は、映像信号調整回路１５が肌色領域の肌色を調整する際に、ステップＳ１６３０の処理により表示される肌色自動補正欄１８０のＯＳＤ情報の一例を示している。
【００９９】
肌色自動補正欄１８０のＯＳＤ情報には、図１６に示すように、肌色自動補正を選択するためのＯＮ／ＯＦＦボタン１８１と、肌色の色相および彩度を手動調整するための色相調整バー１８２と、彩度調整バー１８３と、肌色を自動または手動調整した際の処理前と処理後の状態が表示される処理前ウインドウ１８４と、処理後ウインドウ１８５との画像が含まれる。
【０１００】
そのため、肌色を調整する場合には、このステップＳ１６３０の処理により、肌色自動補正欄１８０の処理前ウインドウ１８４に、補正前の肌色が表示されることになる。なお、ステップＳ１６３０では映像信号調整回路１５による調整が行われていないため、処理後ウインドウ１８５に何も表示されていない、または処理後ウインドウ１８５が表示されていない、肌色自動補正欄１８０を表示すればよい。
【０１０１】
図１７は、映像信号調整回路１５が肌色周辺領域の所定の色相を調整する際に、ステップＳ１６３０の処理により表示される背景色自動補正欄１９０のＯＳＤ情報の一例を示している。本実施形態では、色相検出回路１３が検出した肌色周辺領域に含まれる所定の色相を映像信号調整回路１５が調整する背景色とする。
【０１０２】
図１７に示す背景色自動補正欄１９０のＯＳＤ情報でも、図１６に示す肌色自動補正欄１８０のＯＳＤ情報と同様に、背景色自動補正を選択するためのＯＮ／ＯＦＦボタン１９１と、背景色の色相および彩度を手動調整するための色相調整バー１９２と、彩度調整バー１９３と、背景色を自動または手動調整した際の処理前と処理後の状態が表示される処理前ウインドウ１９４と、処理後ウインドウ１９５との画像が含まれる。
【０１０３】
そのため、背景色を調整する場合には、このステップＳ１６３０の処理により、背景色自動補正欄１９０の処理前ウインドウ１９４に、補正前の背景色が表示されることになる。
【０１０４】
ここで、映像信号調整装置１０Ａは、前述の実施形態１の映像信号調整装置１０と同様に、肌色領域Ａにおける肌色または肌色周辺領域Ｃにおける背景色の調整すなわち補正処理を実行する（ステップＳ１６４０）。
【０１０５】
次に、ＯＳＤ表示回路１８は、肌色自動補正欄１８０のＯＳＤ情報における処理後ウインドウ１８５、または背景色自動補正欄１９０のＯＳＤ情報における処理後ウインドウ１９５に、補正後の肌色または背景色をＯＳＤ重畳表示する（ステップＳ１６５０）。ＯＳＤ表示回路１８は、肌色自動補正欄１８０のＯＳＤ情報では、処理前ウインドウ１８４に補正前の肌色、処理後ウインドウ１８５に補正後の肌色を表示させる。背景色自動補正欄１９０のＯＳＤ情報では、処理前ウインドウ１９４および処理後ウインドウ１９５には、処理前および処理後の背景色がＯＳＤ重畳表示される。
【０１０６】
その際、映像信号調整装置１０Ａでは、ユーザが、図１６に示す肌色自動補正欄１８０のＯＳＤ情報における色相調整バー１８２および彩度調整バー１８３や、図１７に示す背景色自動補正欄１９０のＯＳＤ情報における色相調整バー１９２および彩度調整バー１９３を手動操作して、ユーザは、処理前および処理後の肌色または背景色を参照して、ステップＳ１６４０の処理により補正された肌色や背景色における色相や彩度を、さらに手動で調整するようにしても良い（ステップＳ１６６０）。なお、このステップＳ１６６０の処理は、ユーザによる手動操作の処理なので、必要なければ、省略しても良いし、ステップＳ１６５０の前に行うようにしても良い。
【０１０７】
ユーザは、処理後ウインドウ１８５または処理後ウインドウ１９５に表示された補正後の色を確認し、肌色自動補正欄１８０のＯＳＤ情報におけるＯＮ／ＯＦＦボタン１８１、または背景色自動補正欄１９０のＯＳＤ情報におけるＯＮ／ＯＦＦボタン１９１において手動調整したように映像調整を行うか（ＯＮ）否か（ＯＦＦ）を選択できる。映像信号調整装置１０Ａは、このユーザによる選択操作を受け付ける（ステップＳ１６７０）。映像信号調整装置１０Ａは、ステップＳ１６７０においてＯＮが選択されたか否かを判断する（ステップＳ１６８０）。ユーザによる選択操作を示す信号は、ＯＳＤ表示回路１８または映像信号調整回路１５が受け取ればよい。ＯＳＤ表示回路１８が選択操作を示す信号を受信する場合は、ＯＳＤ表示回路１８より映像信号調整回路１５に選択操作を示す信号を供給すればよく、映像信号調整回路１５は選択操作を示す信号を基にステップＳ１６７０以降のステップを処理する。
【０１０８】
ＯＮが選択された場合（ステップＳ１６８０“ＹＥＳ”）、映像信号調整装置１０Ａの映像信号調整回路１５は、実施形態１の映像信号調整回路１５と同様に、画像９１における肌色領域Ａの肌色または肌色周辺領域Ｃの背景色に対し補正処理を実行する（ステップＳ１６９０）。
【０１０９】
これに対し、ＯＦＦが選択された場合（ステップＳ１６８０“ＮＯ”）、映像信号調整回路１５は、肌色または背景色の調整処理をリセットする（ステップＳ１７００）。
【０１１０】
以上説明したように、本実施形態２の映像信号調整装置１０Ａでは、実施形態１と同様の調整処理による肌色領域の肌色または肌色周辺領域の背景色の調整結果を表示画像に対し適用する前に、表示画像の上にＯＳＤ表示する。これにより、ユーザは、そのＯＳＤ表示を参照することにより、表示画像における肌色または背景色の調整結果をシミュレーション結果として事前に確認することができる。この結果、ユーザは、これらＯＳＤ表示によるシミュレーション結果を見てから肌色または背景色の補正処理をそれぞれ行うか、行わないかを判断することが可能となり、ユーザにとって利便性が向上する。
【０１１１】
なお、上記実施形態１，２の説明では、図４および図１３に示すように、映像信号調整装置１０，１０Ａをハードウェアにより構成して説明したが、本発明では、これに限らず、ＣＰＵがプログラムを実行することによりソフトウェア的に図４および図１３に示す映像信号調整装置１０，１０Ａの機能を実行するように構成しても勿論よい。
【０１１２】
実施形態１、２において、肌色検出に限定して説明したが、本発明の映像信号調整装置は肌色の映像を検出し、肌色領域あるいはその近傍領域の映像を調整することに限られるものではない。肌色領域検出回路１１に代わり所定の色の領域を検出する回路を設け、色相検出回路１３において、所定の色と補色関係にある色の色相を検出することで、所定の色についても同様に調整が行えるものである。
【０１１３】
また、肌色領域検出回路１１にて複数の肌色を検出してもよい。肌色領域拡張回路１２は検出された肌色領域毎に肌色拡張領域を設定して肌色周辺領域を得て、色相検出回路１３にて、各肌色に対する補色を検出すればよい。あるいは、肌色領域検出回路１１及び肌色領域拡張回路１２を一組とした回路を、検出したい色数と同数の組だけ設けることでも複数の肌色を検出できる。また同様の構成にて複数の異なる色の領域及びその周辺領域を検出することも可能となる。更に、複数の人物が映像に含まれる場合は、肌色領域検出回路１１は映像に含まれる複数の肌色領域を検出すればよい。
【符号の説明】
【０１１４】
１１  肌色領域検出回路（肌色領域検出部）
１２  肌色領域拡張回路（周辺領域検出部）
１３  色相検出回路（色相検出部）
１４  積算回路（積算部）
１５  映像信号調整回路（映像信号調整部）
１６，１７  遅延器
１８  ＯＳＤ表示回路（ＯＳＤ表示部）
【図１】
2012142755.tif 000003
【図２】
2012142755.tif 000004
【図３】
2012142755.tif 000005
【図４】
2012142755.tif 000006
【図５】
2012142755.tif 000007
【図６】
2012142755.tif 000008
【図７】
2012142755.tif 000009
【図８】
2012142755.tif 000010
【図９】
2012142755.tif 000011
【図１０】
2012142755.tif 000012
【図１１】
2012142755.tif 000013
【図１２】
2012142755.tif 000014
【図１３】
2012142755.tif 000015
【図１４】
2012142755.tif 000016
【図１５】
2012142755.tif 000017
【図１６】
2012142755.tif 000018
【図１７】
2012142755.tif 000019